(57)【要約】【課題】低電圧駆動での動作を可能とした高周波受信装置を提供する。【解決手段】ＲＦＡＧＣ電圧２５２ａ、ＩＦＡＧＣ電圧２５３ａに基づいてＲＦ利得制御器１４２、ＩＦ利得制御器１４３の少なくとも一方を制御するＡＧＣ切替制御部１０４を設け、このＡＧＣ切替制御部１０４は、増幅器１１４と増幅器１１７との間において利得制御動作を切替える第１のＡＧＣ切替レベルＶａ、第２のＡＧＣ切替レベルＶｂとを有し、受信信号レベルＶｉｎが第１のＡＧＣ切替レベルＶａに近接すると第２の切替レベルＶｂに切替え、受信信号レベルＶｉｎが第２のＡＧＣ切替レベルＶｂに近接すると第１の切替レベルＶａに切替える。【選択図】図１
2009016975.tif 000002
【特許請求の範囲】
【請求項１】
受信信号レベルＶｉｎが入力されるチューナ入力端子と、このチューナ入力端子からの前記受信信号が入力されるとともに利得制御のための第１のＡＧＣ入力を有する第１の増幅器と、この第１の増幅器からの出力信号が入力されるとともに利得制御のための第２のＡＧＣ入力を有する第２の増幅器と、この第２の増幅器からの出力信号が供給されるチューナ出力端子と、前記第２の増幅器からの出力信号が入力されるとともに前記第１のＡＧＣ入力に第１のＡＧＣ電圧を供給する第１の利得制御器と、前記第２の増幅器からの出力信号が入力されるとともに前記第２のＡＧＣ入力に第２のＡＧＣ電圧を供給する第２の利得制御器とを備え、前記第１、第２のＡＧＣ電圧に基づいて前記第１、第２の利得制御器の少なくとも一方を制御するＡＧＣ切替制御部を設け、このＡＧＣ切替制御部は、第１の増幅器と第２の増幅器との間において利得制御動作を切替える第１のＡＧＣ切替レベルＶａ、第２のＡＧＣ切替レベルＶｂとを有し、前記受信信号レベルＶｉｎが前記第１のＡＧＣ切替レベルＶａに近接すると前記第２の切替レベルＶｂに切替え、前記受信信号レベルＶｉｎが前記第２のＡＧＣ切替レベルＶｂに近接すると前記第１の切替レベルＶａに切替える構成とした高周波受信装置。
【請求項２】
ＡＧＣ切替制御部は、第１、第２のＡＧＣ電圧に基づいて受信信号レベルＶｉｎを検出する信号レベル検出器と、この検出信号に基づいて第１、第２の利得制御器の少なくとも一方を制御するＡＧＣ切替制御器とからなる請求項１に記載の高周波受信装置。
【請求項３】
チューナ出力端子からの信号が供給されるとともに妨害信号を抑圧できるデジタルフィルタと、このデジタルフィルタからの出力信号が供給される復調器と、この復調器からの復調信号が出力される復調出力端子とを備え、第１、第２の利得制御器のそれぞれの入力には第２の増幅器の出力信号に代わって前記復調器への入力信号が供給される請求項１に記載の高周波受信装置。
【請求項４】
第１、第２のＡＧＣ電圧の少なくとも一方は、最大利得点付近の電圧を出力しない設定とした請求項１に記載の高周波受信装置。
【請求項５】
ＡＧＣ切替制御器には、第１、第２の増幅器との間で利得制御が切替わるＡＧＣ切替レベルＶａ、Ｖｂを外部から入力できる基準信号用入力端子が設けられた請求項１に記載の高周波受信装置。
【請求項６】
第１、第２の利得制御器からそれぞれ出力される第１、第２のＡＧＣ電圧がそれぞれのＤＡ（デジタルアナログ）変換器によりデジタル信号とされ、これらデジタル信号がＩ２Ｃバスラインを用いて信号レベル検出器に入力される請求項１に記載の高周波受信装置。
【請求項７】
混合器をダイレクトコンバージョンとした請求項１に記載の高周波受信装置。
【請求項８】
第１、第２の増幅器との間に、混合器を挿入した請求項１に記載の高周波受信装置。
【請求項９】
第１の利得制御器の入力には、第２の増幅器の出力信号に代わって、混合器の出力信号あるいは混合器の出力に接続されるフィルタの出力信号が供給される請求項８に記載の高周波受信装置。
【発明の詳細な説明】
【技術分野】
【０００１】
本発明は、テレビ放送信号の受信信号レベルを検出し、この受信信号レベルに基づいて増幅器の間の利得制御を切替える動作点を最適化することにより低電圧での駆動を可能とした高周波受信装置に関するものである。
【背景技術】
【０００２】
以下、従来の高周波受信装置について説明する。図３に示すように、従来の高周波受信装置１は、チューナ部２と、このチューナ部２の出力に接続された復調部３と、復調部３からの信号が入力されるとともにチューナ部２の利得制御を行う利得制御器１７、１８とで構成されていた。
【０００３】
チューナ部２では、アンテナ５で受信された高周波信号がチューナアンテナ入力端子２ａを介してＲＦ増幅器６に供給される。このＲＦ増幅器６により利得制御された信号が、混合器７の一方の入力に供給され、他方の入力には発振器８の出力信号が供給される。この混合器７から出力される周波数変換されたＩＦ（中間周波）信号は、ＩＦ増幅器９で利得制御されて、出力端子１０から出力される。
【０００４】
この出力端子１０からのＩＦ信号は、復調部３を構成するＡ／Ｄコンバータ１２、デジタルフィルタ１３、復調器１４に順に供給され、出力端子１５から復調信号が出力される。
【０００５】
また、復調器１４に供給される信号は、ＲＦ利得制御器１７およびＩＦ利得制御器１８にそれぞれ入力される。これらＲＦ利得制御器１７、ＩＦ利得制御器１８からそれぞれ出力される利得制御用のＡＧＣ電圧は、ＲＦ増幅器６、ＩＦ増幅器９にそれぞれ設けられたＡＧＣ入力６ａ、９ａに供給されている。
【０００６】
さらに、ＲＦ利得制御器１７、ＩＦ利得制御器１８には、基準信号用入力端子１７ａ、１８ａがそれぞれ設けられている。これら基準信号用入力端子１７ａ、１８ａに供給される基準信号により、ＲＦ増幅器６、ＩＦ増幅器９の利得制御が開始される受信信号レベルＶｉｎが決定される。
【０００７】
なお、この出願の発明に関連する先行技術文献情報としては、例えば、特許文献１が知られている。
【特許文献１】特開２００６−１２９１６１号公報
【発明の開示】
【発明が解決しようとする課題】
【０００８】
しかしながら、従来の高周波受信装置１では、携帯機器として低電圧での駆動が要求されてきている。例えば、３Ｖから２Ｖでの低電圧の駆動が要求されてきている。
【０００９】
図４は、駆動電圧３Ｖとした高周波受信装置１において、チューナアンテナ入力端子２ａへの受信信号レベル（Ｖｉｎ）２１に対するＲＦ増幅器６、ＩＦ増幅器９を制御するＲＦＡＧＣ電圧２４ａ、ＩＦＡＧＣ電圧２５ａをそれぞれ表している。
【００１０】
図４において、受信信号レベルＶｉｎが−１００ｄＢｍから−６５ｄＢｍの受信信号レベルＶｉｎの領域３１においては、ＩＦＡＧＣ電圧２５ａによりＩＦ増幅器９の利得制御が行われる。さらに、−６５ｄＢｍ以上の領域３２においては、ＲＦＡＧＣ電圧２４ａによりＲＦ増幅器６の利得制御が行われる。
【００１１】
ところが、駆動電圧が例えば、従来例の０〜３Ｖが０〜２Ｖとなると、ＡＧＣ電圧の可変範囲が狭くなってしまう。この狭いＡＧＣ電圧の範囲のため、受信信号レベル２８（−６５ｄＢｍ）におけるＩＦＡＧＣ電圧２５ａの利得制御感度（ＡＧＣ電圧に対する利得変化量）は、従来例より約１．６倍に大きくなる。一方、受信信号レベル２８（−６５ｄＢｍ）におけるＲＦＡＧＣ電圧２４ａの利得制御感度は、０Ｖ付近なので、ほとんど変化しない。
【００１２】
つまり、駆動電圧が２Ｖ時には、受信信号レベル２８（−６５ｄＢｍ）におけるＩＦＡＧＣ電圧２５ａとＲＦＡＧＣ電圧２４ａの利得制御感度は、駆動電圧が３Ｖの場合に対して約１．６倍となる。
【００１３】
このため、受信信号レベル２８（−６５ｄＢｍ）では、受信信号レベルの変化が生じた場合には、ＲＦＡＧＣ電圧２４ａの利得制御感度が小さいため、ＩＦＡＧＣ電圧２５ａが応答してしまう。
【００１４】
このように、高周波受信装置１において、低電圧駆動においては、受信信号レベル２８（−６５ｄＢｍ）においてＩＦＡＧＣ電圧２５ａとＲＦＡＧＣ電圧２４ａとの切替え動作が円滑に行うことができなかった。このため、デジタル信号を受信した場合には、ＢＥＲの劣化が発生して、きれいな画面が受信できなかった。
【００１５】
そこで、本発明は、この問題を解決したもので、低電圧駆動での動作を可能とした高周波受信装置を提供することを目的としたものである。
【課題を解決するための手段】
【００１６】
この目的を達成するために、第１、第２のＡＧＣ電圧に基づいて第１、第２の利得制御器の少なくとも一方を制御するＡＧＣ切替制御部を設け、このＡＧＣ切替制御部は、第１の増幅器と第２の増幅器との間において利得制御動作を切替える第１のＡＧＣ切替レベルＶａ、第２のＡＧＣ切替レベルＶｂとを有し、受信信号レベルＶｉｎが前記第１のＡＧＣ切替レベルＶａに近接すると前記第２の切替レベルＶｂに切替え、前記受信信号レベルＶｉｎが前記第２のＡＧＣ切替レベルＶｂに近接すると前記第１の切替レベルＶａに切替える。
【００１７】
これにより、所期の目的を達成することが可能となる。
【発明の効果】
【００１８】
以上のように、第１、第２のＡＧＣ電圧に基づいて第１、第２の利得制御器の少なくとも一方を制御するＡＧＣ切替制御部を設け、このＡＧＣ切替制御部は、第１の増幅器と第２の増幅器との間において利得制御動作を切替える第１のＡＧＣ切替レベルＶａ、第２のＡＧＣ切替レベルＶｂとを有し、受信信号レベルＶｉｎが前記第１のＡＧＣ切替レベルＶａに近接すると前記第２の切替レベルＶｂに切替え、前記受信信号レベルＶｉｎが前記第２のＡＧＣ切替レベルＶｂに近接すると前記第１の切替レベルＶａに切替える。
【００１９】
これにより、低電圧駆動での動作を可能とした高周波受信装置を提供できる。また、第１、第２のＡＧＣ電圧は、移動受信中において受信条件が変化した場合であっても追従性が非常に良好である。このようにＡＧＣ電圧を用いるＡＧＣ切替制御部では、瞬時に受信信号レベルの判定が可能となる。従って、刻々と受信状況が変化する高速で移動中であっても良好な受信品質を実現できる。
【発明を実施するための最良の形態】
【００２０】
（実施の形態１）
以下、本発明の実施の形態１について、図１を用いて説明する。図１は、高周波受信装置１０１のブロック図である。本発明の実施の形態では一実施例として、デジタル方式のテレビ放送信号を受信する場合について説明する。
【００２１】
この高周波受信装置１０１は、チューナ部１０２と、このチューナ部１０２の出力信号が接続された復調部１０３と、チューナ部１０２の利得制御を切替え制御するＡＧＣ切替制御部１０４とから構成されている。
【００２２】
チューナ部１０２の構成について説明する。このチューナ部１０２には、アンテナ１１０の接続されたチューナ入力端子１１１と、出力信号が供給されるチューナ出力端子１１２と、出力信号レベルを制御するための入力端子１１２ａとが設けられている。
【００２３】
チューナ入力端子１１１とチューナ出力端子１１２の間には、チューナ入力端子１１１側から順に、受信周波数帯域を通過させる固定のフィルタ１１３と、ＲＦＡＧＣ入力１１４ａにより利得制御の可能なＲＦ増幅器１１４と、このＲＦ増幅器１１４の出力が一方の入力１１５ａに供給される混合器１１５と、周波数変換された出力信号を通過させるとともに希望信号以外の妨害信号を抑圧するフィルタ１１６と、ＩＦＡＧＣ入力１１７ａにより利得制御の可能なＩＦ増幅器１１７と、ＩＦＡＧＣ入力１１８ａにより利得制御の可能なＩＦ増幅器１１８が接続されている。
【００２４】
また、混合器１１５の他方の入力１１５ｂには、発振器１１９の出力が接続されている。この発振器１１９には、ＰＬＬ回路１２１の出力１２１ａから出力される制御電圧が供給されている。このＰＬＬ回路１２１の入力端子１２２から供給された制御データにより、発振器１１９の発振周波数を可変できる。
【００２５】
さらに、入力端子１１２ａの信号は、ＲＦ利得制御器１４２の入力１４２ａと、ＩＦ利得制御器１４３の入力１４３ａと、ＩＦ利得制御器１４４の入力１４４ａにそれぞれ接続されている。
【００２６】
このＲＦ利得制御器１４２から出力されるＲＦＡＧＣ電圧は、ＲＦＡＧＣ入力１１４ａに供給される。ＩＦ利得制御器１４３から出力されるＩＦＡＧＣ電圧は、ＩＦＡＧＣ入力１１７ａに供給される。また、ＩＦ利得制御器１４４から出力されるＩＦＡＧＣ電圧は、ＩＦＡＧＣ入力１１８ａに供給される。
【００２７】
次に復調部１０３について説明する。この復調部１０３には、チューナ出力端子１１２に接続される復調入力端子１５１と、復調信号が出力される復調出力端子１５２が設けられている。この復調入力端子１５１と復調出力端子１５２との間には、復調入力端子１５１から順に、Ａ／Ｄコンバータ１５４と、デジタルフィルタ１５６と、復調器１５８が接続されている。
【００２８】
次に、ＡＧＣ切替制御部１０４の構成について説明する。ＡＧＣ切替制御部１０４は、信号レベル検出器１６６と、この信号レベル検出器１６６の出力信号が入力されるＡＧＣ切替制御器１６８から構成されている。
【００２９】
信号レベル検出器１６６には、ＲＦ利得制御器１４２から出力されるＲＦＡＧＣ電圧が入力されるＲＦＡＧＣ入力１６６ａと、ＩＦ利得制御器１４３から出力されるＩＦＡＧＣ電圧が入力されるＩＦＡＧＣ入力１６６ｂと、ＩＦ利得制御器１４４から出力されるＩＦＡＧＣ電圧が入力されるＩＦＡＧＣ入力１６６ｃとが設けられている。
【００３０】
さらに、信号レベル検出器１６６の出力は、ＡＧＣ切替制御器１６８に入力されている。このＡＧＣ切替制御器１６８の出力１６８ａ、１６８ｂ、１６８ｃは、ＲＦ利得制御器１４２の入力１４２ｂ、ＩＦ利得制御器１４３の利得制御用入力１４３ｂ、ＩＦ利得制御器１４４の入力１４４ｂにそれぞれ接続されている。
【００３１】
また、ＡＧＣ切替制御器１６８には、基準信号用入力端子１７０が設けられている。この基準信号用入力端子１７０に基準信号を入力することにより、ＲＦ増幅器１１４、ＩＦ増幅器１１７、ＩＦ増幅器１１８の利得制御が開始される受信信号レベルをそれぞれ決定することができる。
【００３２】
なお、利得制御器１４２、１４３、１４４と信号レベル検出器１６６との間に電圧をデジタルに変換するＤＡ変換器（デジタルアナログ変換器）を挿入し（図示せず）、このＤＡ変換器から出力されるデジタル値をＩ２Ｃバスラインにより信号処理をしてもよい。この場合、共通のＩ２Ｃバスラインにより信号処理が可能となるので、配線が簡単になる。
【００３３】
以上のように構成された高周波受信装置１０１の動作について、図１を用いて説明する。最初に、高周波受信装置１０１のチューナ部１０２の動作について説明する。
【００３４】
なお、ＲＦ増幅器１１４の利得制御範囲は、例えば＋１０〜−１５ｄＢｍ（チューナ入力端子１１１での値）としている。ＩＦ増幅器１１７の利得制御範囲は、例えば−１５ｄＢｍ〜−６５ｄＢｍ（チューナ入力端子１１１での値）としている。ＩＦ増幅器１１８の利得制御範囲は、例えば−６５ｄＢｍ〜−１００ｄＢｍ（チューナ入力端子１１１での値）としている。
【００３５】
これら利得制御範囲は、ＲＦ増幅器１１４、混合器１１５、ＩＦ増幅器１１７、ＩＦ増幅器１１８等の利得、雑音指数、および歪特性に応じて、基準信号用入力端子１７０から基準信号を入力することにより利得制御範囲を最適化することができる。
【００３６】
図１において、アンテナ１１０からの受信信号である高周波信号は、チューナ入力端子１１１を介してフィルタ１１３に入力される。このフィルタ１１３では、受信周波数域以外の信号が抑圧される。このフィルタ１１３の出力信号は、ＲＦ増幅器１１４により利得制御された後、混合器１１５の一方の入力１１５ａに供給される。また、他方の入力１１５ｂにはＰＬＬ回路１２１で制御された発振器１１９の出力信号が供給されている。
【００３７】
ここで、ＰＬＬ回路１２１へは入力端子１２２を介してＰＬＬ制御用データが入力できる。そして、ＰＬＬ回路１２１の出力１２１ａから出力される制御電圧により発振器１１９の発振周波数が制御される。つまり、受信信号の中の希望信号が選局されることになる。
【００３８】
そして、混合器１１５からは、ＩＦ信号とされた希望信号が出力される。このＩＦ信号は、妨害信号が抑圧されるフィルタ１１６に入力される。
【００３９】
このフィルタ１１６には、例えばＳＡＷフィルタあるいはＬＰＦ（ローパスフィルタ）を用いて近接した妨害信号を抑圧することができる。さらに、フィルタ１１６の出力信号は、ＩＦ増幅器１１７および１１８で利得制御され、チューナ出力端子１１２から出力される。
【００４０】
なお、入力端子１１２ａへの入力は、復調器１５８への入力信号の代わりに、混合器１１５、ＩＦ増幅器１１７、あるいはＩＦ増幅器１１８の出力信号を接続してもよい。この場合、デジタルフィルタ１５６による隣接チャンネル等の妨害信号を十分に抑圧できない信号がＡＧＣ切替制御部に供給されることになる。しかしながら、希望信号とともにこの十分に抑圧できていない妨害信号により、ＲＦ増幅器１１４が利得制御される。このため、ＲＦ増幅器１１４は、妨害信号の影響を大きく受けることがないので、雑音指数の劣化を最小限に抑える設定とすることができる。
【００４１】
このように、チューナ入力端子１１１に入力された受信信号は、ＲＦ増幅器１１４、ＩＦ増幅器１１７、１１８において利得制御が行われるとともに、混合器１１５により周波数変換され、フィルタ１１３、１１６により妨害信号が十分に抑圧される。そして、チューナ出力端子１１２からは、この周波数変換された一定レベルの信号が出力される。
【００４２】
次に、復調部１０３の動作について説明する。チューナ部１０２の出力信号は、アナログ信号をデジタル信号に変換するＡ／Ｄコンバータ１５４に入力される。このＡ／Ｄコンバータ１５４から出力されるデジタル信号は、デジタル処理により妨害信号が十分に抑圧されるデジタルフィルタ１５６に入力される。このデジタルフィルタ１５６からのデジタル信号は、ＴＳ（トランスポートストリーム）信号を出力する復調器１５８に入力される。
【００４３】
次に、ＡＧＣ切替制御部の動作について説明する。入力端子１１２ａからの入力信号は、ＲＦ利得制御器１４２、ＩＦ利得制御器１４３、１４４にそれぞれ入力される。
【００４４】
図２（ａ）は、駆動電圧が２Ｖである高周波受信装置１０１において、受信信号レベル（Ｖｉｎ）２１が受信信号レベル２６７（−２０ｄＢｍ）以下の場合のＲＦ利得制御器１４２から出力されるＲＦＡＧＣ電圧２５２ａ、ＩＦ利得制御器１４３から出力されるＩＦＡＧＣ電圧２５３ａ、ＩＦ利得制御器１４４から出力されるＩＦＡＧＣ電圧２５４ａを表している。
【００４５】
図２（ａ）において、駆動電圧を３Ｖから２Ｖと低電圧としているので、ＡＧＣ電圧２２は、例えば、従来例の０Ｖ〜２．８Ｖから０Ｖ〜１．７Ｖの狭い電圧範囲となっている。このため、受信信号レベル２６１ａ（−１５ｄＢｍ）においては、ＩＦＡＧＣ電圧２５３ａの利得制御感度（ＡＧＣ電圧に対する利得変化量）は、従来例に対して２．８Ｖ／１．７Ｖとなっておよそ１．６倍となる。これに対して、受信信号レベル２６１ａ（−１５ｄＢｍ）におけるＲＦＡＧＣ電圧２５２ａの利得制御感度は、０Ｖ付近なので、ほとんど変化しない。
【００４６】
このため、ＩＦＡＧＣ電圧２５３ａとＲＦＡＧＣ電圧２５２ａが切替わるＡＧＣ切替レベルＶａ（−１５ｄＢｍ）では、受信信号レベル２６１ａ（−１５ｄＢｍ）に対して、ＲＦＡＧＣ電圧２５２ａが応答することがなく、ＩＦＡＧＣ電圧２５３ａが応答してしまう。
【００４７】
従って、ＩＦＡＧＣ電圧２５３ａとＲＦＡＧＣ電圧２５２ａとの切替えを円滑に行うことができなかった。この改善方法について、以下説明する。
【００４８】
図２（ｂ）は、受信信号レベル（Ｖｉｎ）２１が受信信号レベル２６７（−２０ｄＢｍ）〜受信信号レベル２６９（−１０ｄＢｍ）の場合におけるＲＦＡＧＣ電圧２５２ｂ、ＩＦＡＧＣ電圧２５３ａ、２５４ａをそれぞれ表している。
【００４９】
すなわち、受信信号レベル２６７（−２０ｄＢｍ）〜受信信号レベル２６９（−１０ｄＢｍ）の場合には、ＡＧＣ切替レベルＶａ（−１５ｄＢｍ）をＡＧＣ切替レベルＶｂ（０ｄＢｍ）に変更して用いる。
【００５０】
これにより、受信信号レベル２６７（−２０ｄＢｍ）〜受信信号レベル２６９（−１０ｄＢｍ）の範囲内に、ＡＧＣ切替レベルＶｂ（０ｄＢｍ）が存在しないようにできる。
【００５１】
この場合、ＲＦＡＧＣ電圧２５２ａのみをＲＦＡＧＣ電圧２５２ｂに移動したが、ＲＦＡＧＣ電圧２５２ａとともにＩＦＡＧＣ電圧２５３ａの両方移動してもよく、ともに効果は同じである。
【００５２】
図２（ｃ）は、受信信号レベルＶｉｎが受信信号レベル２６９（−１０ｄＢｍ）以上の場合におけるＲＦＡＧＣ電圧２５２ａ、ＩＦＡＧＣ電圧２５３ａ、２５４ａを表している。
【００５３】
すなわち、受信信号レベル２６９（−１０ｄＢｍ）以上の場合には、ＲＦＡＧＣ電圧２５２ａ、ＩＦＡＧＣ電圧２５３ａ、２５４ａは、図２（ａ）の受信信号レベル２６７（−２０ｄＢｍ）以下と同じ設定としている。
【００５４】
これにより、受信信号レベル２６９（−１０ｄＢｍ）以上の範囲内に、ＡＧＣ切替レベルＶａ（−１５ｄＢｍ）が存在しないようにできる。
【００５５】
以上のようにして、ＲＦ利得制御器１４２、ＩＦ利得制御器１４３からそれぞれ出力されるＲＦＡＧＣ電圧２５２ａ、２５２ｂ、ＩＦＡＧＣ電圧２５３ａ、２５４ａを用いることにより、信号レベル検出器１６６が、チューナ入力端子１１１への受信信号レベルＶｉｎを検出できる。
【００５６】
この検出された受信信号レベルＶｉｎが、ＡＧＣ切替レベルＶａ（−１５ｄＢｍ）に近接または一致する場合には、ＡＧＣ切替制御器１６８により、ＡＧＣ切替レベルＶａ（−１５ｄＢｍ）をＡＧＣ切替レベルＶｂ（０ｄＢｍ）に小さく設定する。この場合、ＡＧＣ切替制御器１６８によりＡＧＣ切替レベルを例えば−３０ｄＢｍに小さく設定してもよい。
【００５７】
さらに、受信信号レベルＶｉｎが、ＡＧＣ切替レベルＶｂ（０ｄＢｍ）に近接または一致する場合には、ＡＧＣ切替制御器１６８により、ＡＧＣ切替レベルＶｂ（０ｄＢｍ）をＡＧＣ切替レベルＶａ（−１５ｄＢｍ）に小さく設定する。
【００５８】
このようにして、受信信号レベルＶｉｎが、ＡＧＣ切替レベルＶａ、Ｖｂと近接あるいは一致しないように設定することができるので、ＲＦ増幅器１１４とＩＦ増幅器１１７との利得制御の切替えを正常に行うことができる。従って、低電圧駆動でありながら、良好な受信品質とした高周波受信装置を提供できる。
【００５９】
なお、ＲＦＡＧＣ電圧２５２ａの最大利得点付近の電圧を出力しない設定としても、同様の効果が得られる。この最大利得点付近２８１の電圧は０Ｖ付近であるので、例えば０．５Ｖ以下の電圧を出力しないように設定する。これにより、最大利得付近以外の電圧によりＲＦ増幅器１１４を利得制御するものである。
【００６０】
同様に、ＩＦＡＧＣ電圧２５３ａの最大利得点付近２８２の電圧を出力しない設定としてもよい。
【００６１】
また、受信信号レベル２６１ａ（−１５ｄＢｍ）とＡＧＣ切替レベルＶａ（−１５ｄＢｍ）の関係は、受信信号レベル２６３ａ（−６５ｄＢｍ）と、ＩＦＡＧＣ電圧２５４ａとＩＦＡＧＣ電圧２５３ａが切替わるＡＧＣ切替レベルＶｃ（−６５ｄＢｍ）との関係においても同様である。
【００６２】
すなわち、ＩＦＡＧＣ電圧２５３ａ、２５４ａが入力される信号レベル検出器１６６により受信信号レベルＶｉｎを検出する。この検出結果に基づいてＡＧＣ切替制御器１６８により、ＡＧＣ切替レベルＶｃが受信信号レベル２６３ａと近接または一致しないように、ＩＦＡＧＣ電圧２５３ａを移動することができる。
【００６３】
さらに、チューナ部１０２では、混合器１１５をシングルスーパとして用いたが、ダイレクトコンバージョンとして用いても、同様である。すなわち、混合器１１５をＩ、Ｑ信号用の２つの混合器とし、これらＩ、Ｑ信号用の混合器の他方の入力には、発振器１１９からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号との干渉が発生しにくい。
【００６４】
さらにまた、ＩＦ増幅器１１７とチューナ出力端子１１２との間に混合器２８５（図示せず）を挿入してもよい。この場合には、混合器１１５からはＩＦ信号を出力できる。このＩＦ信号は、単一周波数とできるので、フィルタによる妨害信号を十分に抑圧でき、あるいは混合器２８５をダイレクトコンバージョンとして精度のよいＩ、Ｑ復調が可能となる。
【００６５】
なお、本実施例では、受信信号レベルＶｉｎの大きさに応じて、ＩＦ増幅器１１８、ＩＦ増幅器１１７、ＲＦ増幅器１１４の順に利得制御の動作を行うことにより、大きな信号レベルが入力される後段での歪を抑圧している。このように、歪を抑圧できる方法として、例えばＩＦ増幅器１１７、ＲＦ増幅器１１４の利得制御の動作を入れ替えてもよい。
【００６６】
例えば、信号レベルの大きさに応じて、ＩＦ増幅器１１８、ＲＦ増幅器１１４、ＩＦ増幅器１１７の順に利得制御の動作を行うものである。この場合には、図２（ａ）において、ＩＦＡＧＣ電圧２５３ａはＲＦ増幅器１１４のＡＧＣ電圧となり、ＲＦＡＧＣ電圧２５２ａはＩＦ増幅器１１７のＡＧＣ電圧となる。これにより、受信信号レベルＶｉｎが変化した場合においても、ＡＧＣ切替レベルＶａ、Ｖｂと一致しないように設定することができるので、ＲＦ増幅器１１４とＩＦ増幅器１１７との利得制御の切替えを正常に行うことができる。
【００６７】
すなわち、信号レベル検出器においてＲＦ、ＩＦＡＧＣ電圧に基づいてチューナ入力端子の受信信号レベルＶｉｎを検出し、この検出信号に基づいてＡＧＣ切替制御器によりＲＦ、ＩＦ利得制御器の少なくとも一方を制御することにより、ＲＦ、ＩＦ増幅器の間で利得制御が切替わるＡＧＣ切替レベルＶａが受信信号レベルＶｉｎに一致しない設定とできる。
【００６８】
また、本発明の実施の形態では、一例としてデジタル方式のテレビ放送信号を受信する場合について説明したが、アナログ方式のテレビ放送信号を受信する場合においても同様である。すなわち、デジタル用の復調部１０３の代わりにアナログ用の復調部１０３ｃ（図示せず）を用いることにより同様の効果が得られる。
【００６９】
さらに、ＡＧＣ切替制御部１０４は、高周波受信装置１０１より外部に配置してもよい。この場合、例えば高周波受信装置１０１とＡＧＣ切替制御部１０４とはＩ２Ｃ等のバスラインで接続することにより、配線が少なくできる。
【産業上の利用可能性】
【００７０】
本発明にかかわる高周波受信装置は、低電圧駆動であっても円滑な利得制御を可能とできるので、移動受信用の高周波受信装置に最適である。
【図面の簡単な説明】
【００７１】
【図１】本発明の実施の形態１における高周波受信装置のブロック図
【図２】（ａ）同、−２０ｄＢｍ以下の受信信号レベルＶｉｎに対するＡＧＣ電圧の特性図、（ｂ）同、−１０ｄＢｍ〜−２０ｄＢｍの受信信号レベルＶｉｎに対するＡＧＣ電圧の特性図、（ｃ）同、−１０ｄＢｍ以上の受信信号レベルＶｉｎに対するＡＧＣ電圧の特性図
【図３】従来例における高周波受信装置のブロック図
【図４】同、受信信号レベルＶｉｎに対するＡＧＣ電圧の特性図
【符号の説明】
【００７２】
１０１  高周波受信装置
１０４  ＡＧＣ切替制御部
１１１  チューナ入力端子
１１２  チューナ出力端子
１１４  増幅器
１１４ａ  ＡＧＣ入力
１１７  増幅器
１１７ａ  ＡＧＣ入力
１４２  利得制御器
１４３  利得制御器
【図１】
2009016975.tif 000003
【図２】
2009016975.tif 000004
【図３】
2009016975.tif 000005
【図４】
2009016975.tif 000006